(57)【要約】  【課題】  送信したい複数画像毎に希望する画像パラメータリストを予め形成し、送信時にそのリストに従った画像処理を複数画像毎に行った後一括送信する通信機能付きデジタルカメラを提供する。  【解決手段】  撮影画像を格納した記録メディア１３を保持し、記録メディア１３の保持画像中の選択画像を通信網を通して外部装置に送信する機能を備えたデジタルカメラにおいて、記録メディア１３中に送信したい選択画像が複数画像ある場合、それら複数画像の送信に先立ってそれら複数画像毎にその画像情報及び画像送信時にその画像に実施を希望する圧縮処理等の画像パラメータを表わす送信画像リストを作成し、その送信画像リストを内部メモリ１４に格納し、それら複数画像を送信する際に、通信アプリケーションにより内部メモリ１４から送信画像リストを読み出し、その送信画像リストに示された画像パラメータに従って、複数画像をそれぞれ圧縮処理した後で一括送信する。  【選択図】  図２
2006025030.tif 000002
【特許請求の範囲】
【請求項１】
撮影した画像が格納される記録メディアを保持し、前記記録メディアに保持された画像の中の選択画像を通信網を通して外部装置に送信できる機能を備えた通信機能付きデジタルカメラにおいて、前記記録メディアの中に送信したい選択画像が複数画像ある場合、それら複数画像の送信に先立ってそれら複数画像の各々について、その画像情報、及び、画像送信時にその画像に実施を希望する圧縮処理等の画像パラメータを表わす送信画像リストを作成し、作成した送信画像リストを内部メモリに格納し、それら複数画像を送信する際に、通信アプリケーションにより前記内部メモリから送信画像リストを読み出し、読み出した送信画像リストに示されている画像パラメータに従って、複数画像のそれぞれを圧縮処理した後、複数画像を一括送信するようにしていることを特徴とする通信機能付きデジタルカメラ。
【請求項２】
前記送信画像リストは、複数画像に対して複数通りの画像パラメータを表わしたものを作成することが可能であって、その使用時に複数通りの画像パラメータを表わしたものの中から希望する１つのものを選択するものであることを特徴とする請求項１に記載のデジタルカメラ。
【請求項３】
前記送信画像リストは、送信画像についての圧縮処理後のファイル容量及び一括送信画像のファイル容量の総概算値をリストアップしているものであることを特徴とする請求項１に記載のデジタルカメラ。
【発明の詳細な説明】
【技術分野】
【０００１】
この発明は、通信機能付のデジタルカメラに係わり、特に、撮影した画像を記録メディアに保存し、外部機器への送信時に記録メディアから送信すべき画像を読み出し、読み出した画像を通信網を通して他の画像機器に送信できる通信機能付きデジタルカメラに関する。
【背景技術】
【０００２】
今日、デジタルカメラは、普及型モデルであっても、ＣＣＤ画素数が４００万画素を超えたものがあり、また、カメラ機能付きの携帯電話においても、ＣＣＤ画素数が２００万画素程度のものが多く出回っており、いずれも撮影された画像が高画質のものになっている。
【０００３】
ところで、数百万程度のＣＣＤ画素数を有するデジタルカメラは、静止画像を撮影した場合、その静止画像データを格納するのに必要な画像ファイル容量として、１静止画像当たり１メガバイト（Ｍｂｙｔｅ）を超える容量のものが必要であり、今後、デジタルカメラのＣＣＤ画素数が増加した場合は、ＣＣＤ画素数の増加に伴って必要とする画像ファイル容量も増加するようになる。
【０００４】
また、この種のデジタルカメラを用いて動画像を撮影した場合は、その動画像データを格納するのに必要な画像ファイル容量が動画像の撮影時間に比例して増加するようになり、そのときにファイル容量制限が採用するファイルシステムまたは動画フォーマットに依存するため、概ねギガバイト（Ｇｂｙｔｅ）単位のファイル容量のものが必要になると考えられる。
【０００５】
最近になって、デジタルカメラにおいては、通信機能を備え、通信網を通して他の画像機器に撮影した画像データを送信できる通信機能付のものも普及するようになってきている。しかしながら、このような通信機能付のデジタルカメラは、撮影した画像データをＥ（電子）メールやＦＴＰ（ファイルトランスファープロトコル）によって通信網を介して他の画像機器に一括送信したい場合、原画像データをそのままの形で送信するため、送信される画像データの総ファイル容量は極めて大きな容量のものになる。
【０００６】
また、通信サービスによっては、送信できる画像データのファイル容量に制限が設けられていることが多い。このため、通信機能付のデジタルカメラは、撮影した画像データを送信する際に、大容量の画像ファイルに格納した画像データをそのままの状態でＥメールやＦＴＰによって送信することができない。
【０００７】
この他にも、画像データを通信網によって送信する際に、その通信網のスループットが低いものであれば、その通信網を使用して大容量の画像ファイルの画像データを送信しようとすると、画像データの送信時間が長時間になるだけでなく、送信時間が長時間になるに従ってその通信コストの増大を招くことになり、このような送信手段を用いることは現実的なものでない。
【０００８】
そこで、デジタルカメラにおけるこのような各種の問題点に対して、以下に述べるように、既に幾つかの解決手段が提案されている。
【０００９】
その第１の解決手段としては、特開２００３−３１９３２６号に開示された通信機能付きデジタルカメラ装置に係わるもので、この通信機能付きデジタルカメラ装置は、通信用撮影モードによって撮影した画像に対して、通信用パラメータを用いてその画像画質を予め指定された解像度とファイルサイズを有する通信用画像に変換し、それにより高圧縮した画像データの通信用ファイルを作成することにより、送信時の画像ファイル容量を抑制するようにしているものである。
【００１０】
また、その第２の解決手段としては、特開２００１−４５４５２号に開示された画像通信システムに係わるもので、この画像通信システムは、デジタルカメラに携帯電話を連携させた送受信システムを構成したもので、携帯電話によって送信すべき画像を選択すると、選択した画像に対して携帯電話からデジタルカメラにリサイズ処理の指令が送信され、デジタルカメラが当該画像をリサイズ処理すると、リサイズ処理した画像をデジタルカメラから携帯電話に送信するようにしているものである。
【００１１】
さらに、その第３の解決手段としては、特開２００４−４０６０１号に開示されたデジタルカメラに係わるもので、このデジタルカメラは、送信先に合わせて画像の処理が可能な画像条件を取得して記録媒体に保存しておき、撮影した画像の送信先が決まったとき、その画像を送信する際に、その送信先に対応した画像条件を記録媒体を読み出し、その画像を読み出した画像条件に従った画像処理をし、処理した画像を送信先に送信するようにしているものである。
【特許文献１】特開２００３−３１９３２６号公報
【特許文献２】特開２００１−０４５４５２号公報
【特許文献３】特開２００４−０４０６０１号公報
【発明の開示】
【発明が解決しようとする課題】
【００１２】
ところで、第１の解決手段である特開２００３−３１９３２６号に開示された通信機能付きデジタルカメラ装置のように、通信用撮影モードによって画像を撮影する際に、高圧縮パラメータに従って撮影すれば、得られた画像のファイル容量として大容量のものが必要でない点に利点があるものの、撮影時にその画像の原画像、即ち高画質画像を記録保存しておくことができないものである。
【００１３】
また、第２の解決手段である特開２００１−０４５４５２号に開示された画像通信システムのように、送信すべき画像を選択し、選択した画像に圧縮処理を施し、その圧縮処理した画像を送信すれば、送信時の画像データのファイル容量を低減できる点に利点があるものの、送信すべき画像が複数画像存在する場合には、送信すべき画像のそれぞれについて圧縮処理を施す必要があり、しかも、それらの複数画像に静止画像や動画像などの異なる画像フォーマットのものが含まれている場合、圧縮パラメータが異なっているので、画像を選択する度に、圧縮処理の設定条件を変更する必要があり、その場合には、画像処理に時間を要するものである。
【００１４】
さらに、第３の解決手段である特開２００４−０４０６０１号に開示されたデジタルカメラのように、送信先に対応した画像条件に従って画像データを送信すれば、一応送信先の画像ファイル容量に適した画像データを送信することができる点に利点があるものの、Ｅメール送信、ＦＴＰ送信のどちらの通信アプリケーションにおいても、送信先の画像ファイル容量に自ずと制限があり、しかも、送信しようとする全画像ファイルの総容量を送信側で明確に把握することができないため、送信先に対応した画像条件に従って画像データを送信し続けていると、送信先の画像ファイル容量が送信すべき画像データのファイル総容量を超えてしまうことがある。
【００１５】
本発明は、このような技術的背景に鑑みてなされたもので、その１つの目的は、送信したい複数画像毎に希望する画像パラメータリストを予め形成し、送信時にそのリストに従った画像処理を複数画像毎に行った後一括送信するようにした通信機能付きデジタルカメラを提供することにある。
【００１６】
また、本発明の他の目的は、送信したい複数画像の画像パラメータリスト内に一括送信される各画像データのファイル容量及び総容量をリストアップするようにした通信機能付きデジタルカメラを提供することにある。
【課題を解決するための手段】
【００１７】
前記１つの目的を達成するために、本発明による通信機能付きデジタルカメラは、撮影した画像が格納される記録メディアを保持し、記録メディアに保持された画像の中の選択画像を通信網を通して外部装置に送信できる機能を備えた通信機能付きデジタルカメラにおいて、記録メディアの中に送信したい選択画像が複数画像ある場合、それら複数画像の送信に先立ってそれら複数画像の各々について、その画像情報、及び、画像送信時にその画像に実施を希望する圧縮処理等の画像パラメータを表わす送信画像リストを作成し、作成した送信画像リストを内部メモリに格納し、それら複数画像を送信する際に、通信アプリケーションにより内部メモリから送信画像リストを読み出し、読み出した送信画像リストに示されている画像パラメータに従って、複数画像のそれぞれを圧縮処理した後、複数画像を一括送信するようにしている主たる手段を具備する。
【００１８】
また、前記１つの目的及び他の目的を達成するために、本発明による通信機能付きデジタルカメラは、前記主たる手段における送信画像リストに、送信画像についての圧縮処理後のファイル容量及び一括送信画像のファイル容量の総概算値をリストアップしている付加手段を具備する。
【発明の効果】
【００１９】
以上のように、請求項１に記載の発明によれば、送信したい複数画像毎にその画像が希望する画像パラメータを設定した送信画像リストを予め形成しておき、その複数画像の送信時に、それぞれの画像に送信画像リストに従った画像処理を個別に行い、画像処理を行ったこれらの複数画像を一括送信するようにしているので、１つの画像を送信する度にその画像に適した画像処理を行う必要がなくなり、複数画像の送信時にそれらの画像処理に要する手間及び時間がかからなくなり、効率的な画像送信を行うことができるという効果があるだけでなく、送信したい複数画像を画像処理する前は高画質の画像として保存されているので、高画質の画像を得たい場合、直ちに当該画像を提供ことが可能になるという効果がある。
【００２０】
また、請求項２に記載の発明によれば、送信画像リストとして、複数画像に対して複数通りの画像パラメータを設定したものが作成可能であり、その使用時に複数通りの画像パラメータを設定したものの中から希望する１つのものを選択することができるので、同じ画像を異なる送信先に送信したい場合、直ちに対応することができるという効果がある。
【００２１】
さらに、請求項３に記載の発明によれば、送信画像リストに送信画像についての圧縮処理後のファイル容量及び一括送信画像のファイル容量の総概算値をリストアップしているので、ユーザー側において、送信可能なファイル容量数や、送信可能な送信画像の圧縮率等を認識することが可能になるという効果がある。
【発明を実施するための最良の形態】
【００２２】
図１は、この発明による通信機能付きデジタルカメラの一つの実施の形態に係わるもので、そのデジタルカメラの背面図を示すものである。
【００２３】
図１に示されるように、この通信機能付きデジタルカメラは、カメラ筐体１と、カメラ筐体１の背面側上部領域に配置されたファインダー２と、同背面側上部領域にファインダー２に並ぶように配置された表示ランプ３と、同背面側中間領域から下部領域にわたる広範囲部分に配置された液晶表示部４と、同背面側中間領域から下部領域にわたって液晶表示部３に並ぶように配置された操作キー５とからなっている。
【００２４】
この場合、ファインダー２は、デジタルカメラの使用時にユーザーが被写体を見るためのものである。表示ランプ３は、デジタルカメラの動作モード状態や各種の警告を表示状態によって表わしているものである。液晶表示部４は、撮影した画像や設定項目等を選択的に表示するものである。操作キー４は、デジタルカメラにおける各種設定を行うものである。
【００２５】
次に、図２は、図１に図示された通信機能付きデジタルカメラ内部の電気的接続状態を示すブロック図である。
【００２６】
図２に示されるように、通信機能付きデジタルカメラは、被写体を撮影するレンズ６と、レンズ６で撮影した画像情報を取り入れ、画像情報に対応したアナログ信号に変換するＣＣＤ７と、ＣＣＤ７から得られたアナログ信号をデジタル信号に変換するＡ／Ｄ変換部８と、タイミングジェネレータ９と、ガンマ補正、ホワイトバランス補正、ＡＥ補正等を行う画像処理部とＪＰＥＧ圧縮及び伸長を行うＪＰＥＧ圧縮伸長部とを有する画像処理ＬＳＩ１０（１）を内蔵したマイコン１０と、キー操作が行われるキー入力部（図１の操作キー４に相当する）１１と、入力部１１のキー操作状態を検知し、検知信号を出力するサブマイコン１２と、撮影した画像を保存する着脱自在なメモリカード（請求項における記録メディアに該当する）１３と、各種の設定項目等を保存しているフラッシュメモリ（ＦＬＡＳＨ  ＭＥＭＯＲＹ）（請求項における内部メモリに該当する）１４と、画像処理ＬＳＩ１０（１）のワーク用データや画像データの一時保管領域に使用されＳＤＲＡＭ１５と、撮影した画像や設定項目等を表示する液晶表示部（ＬＣＤ）（図１の液晶表示部４に対応する）１６と、メモリカード１３を着脱自在に保持するメモリスロット１７と、無線通信によってデジタルカメラと通信網とを接続する無線ＬＡＮモジュール１８とを具備し、それらの構成要素６乃至１８は、図２に図示されるように互いに接続されている。
【００２７】
図２に図示された通信機能付きデジタルカメラにおいて、レンズ６を通してカメラ被写体から画像情報がＣＣＤ７に印加されると、ＣＣＤ７は、この画像情報に対応したアナログ信号に変換し、変換したアナログ信号をＡ／Ｄ変換部８に供給する。Ａ／Ｄ変換部８は、このアナログ信号をそれに対応したデジタル信号に変換し、得られたデジタル信号を画像処理ＬＳＩ１０（１）に供給する。画像処理ＬＳＩ１０（１）は、供給されたデジタル信号を画像処理した後、ＪＰＥＧ圧縮部でＪＰＥＧ圧縮し、ＪＰＥＧ圧縮画像データを形成する。このＪＰＥＧ圧縮画像データは、マイコン１０の制御によってメモリカード１３に伝送され、そこに保存される。
【００２８】
メモリカード１５に保存されたＪＰＥＧ圧縮画像データは、マイコン１０の制御によって、メモリカード１５から読み出され、読み出されたＪＰＥＧ圧縮画像データは画像処理ＬＳＩ１０（１）のＪＰＥＧ伸張部に供給され、ＪＰＥＧ伸張されて表示用画像信号に変換される。この後、表示用画像信号は、液晶表示部１６に供給され、画像表示される。
【００２９】
この通信機能付きデジタルカメラは、撮影した画像の中から任意の画像を選択する機能、すなわち、一般的なデジタルカメラのサムネイル一覧表示のように、複数画像の中から任意の画像を選択する機能を有している。ユーザーは、サムネイル一覧表示内容から通信アプリケーションにより送信したい任意の画像を選択したとき、その任意の画像の送信時に、送信する画像に対して圧縮をかける際の圧縮用のパラメータを設定することができる。選択した任意の画像がＪＰＥＧ静止画像である場合は、リサイズする画像サイズや圧縮率などを圧縮用のパラメータとして設定することができ、選択した任意の画像がモーションＪＰＥＧ動画像である場合は、それに加えてフレームレートなどを設定することができる。
【００３０】
ユーザーが選択した画像ファイル情報ならびにその圧縮用のパラメータは、後述する図４に示されるように、送信画像リストに設定され、通信機能付きデジタルカメラの記録メディアに保存される。その後、別の任意の画像を選択し、その画像に対して同様に圧縮用のパラメータを設定することにより、既存の送信画像リストに他の送信画像を追加設定することができる。
【００３１】
ユーザーは、通信機能付きデジタルカメラの通信アプリケーションから、記録メディアに保存されている送信画像リストの中の適当なものを選択する。通信アプリケーションは、送信画像リストを読み出してその内容を解析し、送信画像リストに設定されている圧縮用のパラメータによって各画像を圧縮した後、各アプリケーションに応じた通信フォーマットに変換する。
【００３２】
Ｅメールアプリケーションの場合は、自動的に送信メールに画像ファイルが添付され、ユーザーは宛先アドレスを入力して送信することにより、送信画像リストに設定されている画像ファイルを、その送信画像リストに設定されている圧縮用のパラメータで圧縮した状態で送信することができる。
【００３３】
一方、ＦＴＰアプリケーションの場合は、送信ファイルが選択された状態となり、ユーザーが送信先サーバーを設定して送信することにより、送信画像リストに設定されている画像ファイルを、その送信画像リストに設定されている圧縮用のパラメータで圧縮した状態で送信することができる。
【００３４】
また、図３は、この通信機能付きデジタルカメラを含んだ無線通信系統を表わす模式図である。
【００３５】
図３において、２０は通信機能付きデジタルカメラ、２１は無線ＬＡＮアクセスポイント、２２はサーバー、２３はインターネット通信網である。
【００３６】
通信機能付きデジタルカメラ２０は、図２に示されるように、内部に無線ＬＡＮモジュール１８を備えており、この無線ＬＡＮモジュール１８によってデジタルカメラ２０と無線ＬＡＮのアクセスポイント２１とが無線接続される。このアクセスポイント２１は、通信機能付きデジタルカメラ２０をインターネット通信網２３に接続する機能を有しており、それによりデジタルカメラ２０をインターネット通信網２３を通して指定したサーバー２２にアクセスさせることが可能になる。通信機能付きデジタルカメラ２０に搭載されている通信アプリケーションは、それぞれのアプリケーションで設定されたサーバー２２へのアクセスを可能とするもので、図２に示されるようなメモリカード１５内に保存されている画像データをこの無線通信系統を通してサーバー２２への送信が実現できるものである。
【００３７】
次に、図４は、通信機能付きデジタルカメラ２０で形成される送信画像リスト２４のフォーマットの一例を示すものである。
【００３８】
図４に示されるように、この例の送信画像リスト２４は、順次列挙されたファイル情報ナンバー（Ｎｏ１乃至Ｎｏ＊）毎に、ファイル名として、圧縮用のパラメータ、圧縮後のファイル容量、その他を挙げており、圧縮用のパラメータは、項目として、リサイズする画像サイズ、圧縮率、フレームレート（動画の場合）を挙げている。
【００３９】
続いて、図５は、通信機能付きデジタルカメラ２０で形成される送信画像リスト２４の作成手順を示すフローチャートである。
【００４０】
以下、図５に図示されたフローチャートに従って送信画像リストの作成手順について説明する。なお、この送信画像リストは、送信先画像機器や送信先サーバー毎に管理できるように複数リストが作成用意されるもので、以下のステップＳ６においては、送信画像リスト選択処理において、複数リスト中の任意のリストについての選択設定ができるようになっている。
【００４１】
始めに、ステップＳ１において、ユーザーがキー入力部１１を所定操作すると、マイコン１０がメモリカード１５内に保存されている撮影した画像を読み出し、読み出した画像を液晶表示部１６に供給し、画像の一覧を液晶表示部１６に表示する。
【００４２】
次に、ステップＳ２において、ユーザーがキー入力部１１の所定操作によって液晶表示部１６に表示した画像の一覧の中の任意の画像を選択し、その後でユーザーがキー入力部１１を所定操作すると、液晶表示部１６に送信画像リストを作成するためのメニューが表示される。
【００４３】
次いで、ステップＳ３において、液晶表示部１６に表示されたメニューに対して、ユーザーがキー入力部１１の所定操作によって選択した画像に対して圧縮用のパラメータ、すなわちリサイズする画像サイズ及び圧縮率を設定し、動画像である場合にフレームレートを別に設定する。
【００４４】
続く、ステップＳ４において、圧縮用のパラメータを設定した後、ユーザーが液晶表示部１６に表示されたメニューから選択した画像についての圧縮後の画像ファイル容量を確認できる。
【００４５】
続いて、ステップＳ５において、ユーザーは、選択した画像についての圧縮後の画像ファイル容量を確認した結果、その選択した画像が十分なリサイズに圧縮されているか否か、すなわち圧縮状態は適当か否かを判定する。そして、選択した画像が十分なリサイズに圧縮されていると判定した（Ｙ）ときは次のステップＳ６に移行し、一方、選択した画像が十分なリサイズに圧縮されていないと判定した（Ｎ）ときは前のステップＳ３に移行し、再び、ステップＳ３以降の処理が繰り返し実行される。
【００４６】
次に、ステップＳ６において、ユーザーは、圧縮用のパラメータの設定を保存する送信画像リストを選択する。
【００４７】
次いで、ステップＳ７において、ユーザーは、選択した送信画像リストを保存する。
【００４８】
以上の操作を行うことにより、送信画像リストが作成され、この送信画像リストを用いることにより、この送信画像リストにリストアップされている複数の画像ファイルを指定されている圧縮用のパラメータに従って圧縮処理され、圧縮処理されたこれらの画像を一括送信することができるものである。
【００４９】
また、図６は、送信画像リストを使用し、携帯電話を経由したＥ（電子）メールによる送信手順を示すフローチャートである。
【００５０】
以下、図６に図示されたフローチャートに従って携帯電話を経由したＥメールによる送信手順について説明する。
【００５１】
始めに、ステップＳ１１において、ユーザーは携帯電話のキーを所定操作することにより、そのメールアプリケーションを起動させる。
【００５２】
次に、ステップＳ１２において、ユーザーは、起動したメールアプリケーションに基づいて、所定のキー操作により通信機能付きデジタルカメラに保存されている複数の送信画像リストの中から送信先に適合した一つの送信画像リストを選択する。
【００５３】
次いで、ステップＳ１３において、メールアプリケーションは選択された送信画像リストを解析する。
【００５４】
続く、ステップＳ１４において、通信機能付きデジタルカメラは、画像信号処理ＬＳＩ１０（１）内の圧縮伸張モジュールを用い、送信画像リストで指定されている圧縮パラメータに従って画像を圧縮する。
【００５５】
続いて、ステップＳ１５において、メールアプリケーションは作成した圧縮画像を送信メールに添付する。
【００５６】
次に、ステップＳ１６において、ユーザーは、作成されたメールに宛先を設定する。
【００５７】
次いで、ステップＳ１７において、送信メールに添付された画像はメールの宛先に送信される。
【００５８】
以上の操作を行うことにより、送信画像リストに設定された画像ファイルを、送信画像リストに設定された圧縮用のパラメータで圧縮した後、メールに添付して送信することができるものである。
【図面の簡単な説明】
【００５９】
【図１】この発明による通信機能付きデジタルカメラの一つの実施の形態に係わるもので、そのデジタルカメラの背面図を示すものである。
【図２】図１に図示された通信機能付きデジタルカメラ内部の電気的接続状態を示すブロック図である。
【図３】通信機能付きデジタルカメラを含んだ無線通信系統を表わす模式図である。
【図４】通信機能付きデジタルカメラで形成される送信画像リストのフォーマットの一例を示すものである。
【図５】通信機能付きデジタルカメラで形成される送信画像リストの作成手順を示すフローチャートである。
【図６】送信画像リストを使用し、携帯電話を経由したＥメールによる送信手順を示すフローチャートである。
【符号の説明】
【００６０】
１  カメラ筐体
２  ファインダー
３  表示ランプ
４、１６  液晶表示部（ＬＣＤ）
５  操作キー
６  レンズ
７  ＣＣＤ
８  Ａ／Ｄ変換部
９  タイミングジェネレータ
１０  マイコン
１０（１）  画像処理ＬＳＩ
１１  キー入力部
１２  サブマイコン
１３  メモリカード
１４  フラッシュメモリ（ＦＬＡＳＨ  ＭＥＭＯＲＹ）
１５  ＳＤＲＡＭ
１７  メモリスロット
１８  無線ＬＡＮモジュール
２０  通信機能付きデジタルカメラ
２１  無線ＬＡＮアクセスポイント
２２  サーバー
２３  インターネット通信網
２４  送信画像リスト
【図１】
2006025030.tif 000003
【図２】
2006025030.tif 000004
【図３】
2006025030.tif 000005
【図４】
2006025030.tif 000006
【図５】
2006025030.tif 000007
【図６】
2006025030.tif 000008